(57)【要約】      （修正有）【課題】表示デバイスの耐久性向上を図ったキー入力装置を提供する。【解決手段】表示デバイス２３〜２５の表示情報を、キートップ１９ａ〜１９ｃ、２０ａ〜２０ｃ、２１ａ〜２１ｃを透して見せるように構成したキー入力装置において、前記キートップに形成された空間１９ｄ〜２１ｄに、前記表示デバイスを遊挿することを特徴とする。キー操作を行った場合に表示デバイスに動きが生じず、表示デバイスが変形しない。したがって、同デバイスの耐久性向上を図ったキー入力装置を提供することができる。【選択図】図２
2009218127.tif 000002
【特許請求の範囲】
【請求項１】
キーと対応して設けられた表示デバイスのキー表示情報を、キートップを透して見せるように構成したキー入力装置において、
前記キートップに形成された空間に、前記表示デバイスを遊挿したことを特徴とするキー入力装置。
【請求項２】
前記空間の、前記キートップの操作方向の広さを、前記キートップのキーストロークと同等若しくは大きくなるように設定したことを特徴とする請求項１記載のキー入力装置。
【請求項３】
前記キートップの下面にキーラバーを配置すると共に、該キーラバーの下面に一体形成された突起に対応してスイッチ要素を設けたことを特徴とする請求項１記載のキー入力装置。
【請求項４】
前記キートップの下面に一体形成された突起に対応してスイッチ要素を設けたことを特徴とする請求項１記載のキー入力装置。
【請求項５】
請求項１から４のいずれか一項に記載のキー入力装置を備えることを特徴とする電子機器。
【発明の詳細な説明】
【技術分野】
【０００１】
本発明は、キー入力装置に関し、詳細には、キートップとスイッチ要素との間に、電子ペーパ等の表示デバイスを挟装して構成されたキー入力装置と、そのキー入力装置を備える電子機器に関する。
【背景技術】
【０００２】
たとえば、携帯電話機においては、テンキーやオンフック／オフフックキーなどの多くのキーを備えたキー入力装置が搭載されている。このキー入力装置のキートップ（キー操作面）には、各々のキー機能を端的に表す表記（文字や記号など）が印刷または刻印されているところ、このような印刷や刻印の場合、各々のキートップの表記の向きは携帯電話機の一般的な持ち方（通常は縦持ち）に合わせて固定されているため、携帯電話機を異なる向き（横向き等）で使用する際の不都合を否めない。
【０００３】
あるいは、一つのキーに複数の機能を割り当てることもあるが、このような場合は、任意の時点で実行可能な特定の機能表記のみを一意的に表示できるようにすることが好ましいものの、前記の印刷や刻印の場合は、もっぱら、割り当てられている全ての機能表記を併記するしか術がなく、使い勝手の悪いものであった。
【０００４】
そこで、これらの不都合に対処した従来技術としては、たとえば、下記の特許文献１に記載のものが知られている。
【０００５】
この従来技術の仕組みは概ね以下のようなものである。すなわち、スイッチシートの上にキー文字を表示する表示デバイス（従来技術では電子ペーパ：紙のような感覚で利用できる柔らかい素材の極薄の表示装置のことであり、データの表示や消去が何回も繰り返し行うことができ、画面内容を変化させる時にだけ電力を消費するため消費電力も小さく、電源を切っても表示を維持でき、軽いなどの特長をもつ。）を配置し、この電子ペーパの上に透明なキートップを配置するというものである。これによれば、電子ペーパの表示を適宜に変える（たとえば、表記の向きを変えたり、表記内容を変えたり等）ことによって、前記の不都合を解消することができる。
【０００６】
【特許文献１】特開２００５−３５２９８７号公報
【発明の開示】
【発明が解決しようとする課題】
【０００７】
しかしながら、前記の従来技術にあっては、表示デバイスの耐久性が劣るという問題点がある。
【０００８】
すなわち、従来技術にあっては、「スイッチシートの上に表示デバイスを配置し、この表示デバイスの上に透明なキートップを配置する」という仕組みを開示するものの、この仕組みからは、表示デバイスの上下面に、それぞれスイッチシートとキートップが直接的に接している構造であると解されるところ、かかる直接的な接触構造の場合には、キートップに加えられたキー操作力が、表示デバイスを介してスイッチシートに伝えられるので、キー操作の度に表示デバイスに機械的応力が加えられることになる。このため、頻繁なキー操作によって、表示デバイスが損傷する可能性を否定できないものであった。
【０００９】
そこで、本発明は、表示デバイスの耐久性向上を意図したキー入力装置を提供することにある。
【課題を解決するための手段】
【００１０】
請求項１記載の発明は、キーと対応して設けられた表示デバイスのキー表示情報を、キートップを透して見せるように構成したキー入力装置において、前記キートップに形成された空間に、前記表示デバイスを遊挿したことを特徴とする。
上述した請求項１記載の発明は次のようなものであってもよい。
前記空間の、前記キートップの操作方向の広さを、前記キートップのキーストロークと同等若しくは大きく設定する（請求項２記載の発明）。
前記キートップの下面にキーラバーを配置すると共に、該キーラバーの下面に一体形成された突起に対応してスイッチ要素を設ける（請求項３記載の発明）。
前記キートップの下面に一体形成された突起に対応してスイッチ要素を設ける（請求項４記載の発明）。
請求項５に記載の発明は、請求項１から４のいずれか一項に記載のキー入力装置を備えることを特徴とする電子機器を特徴とする。
【発明の効果】
【００１１】
本発明によれば、キートップに形成された空間に表示デバイスを遊挿したので、キー操作を行った場合に表示デバイスに動きが生じず、表示デバイスが変形しないため、同デバイスの耐久性向上を図ったキー入力装置を提供することができる。
【発明を実施するための最良の形態】
【００１２】
以下、本発明の実施形態を、携帯電話機への適用を例にして、図面を参照しながら説明する。
【００１３】
図１は、携帯電話機の外観図である。この図において、携帯電話機１は、特にそれに限定されないが折りたたみ式の構造を有しており、本体部２と上蓋部３の間をヒンジ機構４で連結している。上蓋部３の主面には液晶ディスプレイ５とスピーカ拡声穴６が設けられており、上蓋部３を開いた状態（図示の状態）で、これらの液晶ディスプレイ５とスピーカ拡声穴６が露出するようになっている。
【００１４】
一方、本体部２の主面には、多数のキーからなるキー入力装置７とマイク集音穴８が設けられており、さらに、本体部２の側壁には、任意の機能を有するいくつかのスイッチ９〜１３や、外部接続端子部１４などが設けられている。
【００１５】
図２は、キー入力装置７の要部の構造図である。この図において、キー入力装置７は、少なくとも、ｎ個（図では便宜的にｎ＝３）の長穴１５〜１７を形成した筐体部１８（この筐体部１８は本体部２の一部であってもよい。）と、筐体部１８の長穴１５〜１７に図面の下方向から挿入される各々ｍ個（図では便宜的にｍ＝３）に分離したキートップ１９ａ〜１９ｃ、２０ａ〜２０ｃ、２１ａ〜２１ｃからなるｎ列のキー群１９〜２１を有するキートップ部２２と、このキートップ部２２のｎ列のキー群１９〜２１の各々に、そのキー群１９〜２１の長手方向（キートップ１９ａ〜１９ｃ、２０ａ〜２０ｃ、２１ａ〜２１ｃのそれぞれの配列方向）に沿って形成された空間１９ｄ、２０ｄ、２１ｄに若干の遊びを持って挿入（以下、遊挿という。）されるｎ個の表示デバイス２３〜２５と、前記のキートップ部２２の下面に接して配置された弾性素材からなるキーラバー２６と、このキーラバー２６の直下に配置されると共に、キーラバー２６の下面に一体形成されたｎ×ｍ個の突起２６ａ〜２６ｉのそれぞれに対応するｎ×ｍ個のスイッチ要素２７ａ〜２７ｉを有する電子基板２７とを備える。
【００１６】
ここで、キートップ部２２とは、ｎ×ｍ個のキートップ１９ａ〜１９ｃ、２０ａ〜２０ｃ、２１ａ〜２１ｃを一纏めにした部品のことを指す。すなわち、図示の例では、ｎ＝３、ｍ＝３であるから、合計で９個のキートップ１９ａ〜１９ｃ、２０ａ〜２０ｃ、２１ａ〜２１ｃの集まりを指す。また、ｎ×ｍ個のキートップ１９ａ〜１９ｃ、２０ａ〜２０ｃ、２１ａ〜２１ｃは、それぞれ１個ずつに分離可能な部品であり、それらをｍ個（図では３個）ずつグループ化して、ｎ列（図では３列）のキー群１９〜２１としている。
【００１７】
キートップ１９ａ〜１９ｃ、２０ａ〜２０ｃ、２１ａ〜２１ｃに求められる機能の第一は、個別のキー操作が可能なこと、つまり、任意のキートップを押し下げ操作したときに、そのキートップの動きに伴って隣接するキートップに不要な追従動作が生じないようにすることにある。このためには、キートップ１９ａ〜１９ｃ、２０ａ〜２０ｃ、２１ａ〜２１ｃの材質にある程度の硬度を持つものを使用することが望ましく、さらには、隣接するキートップの間に若干の隙間を確保し、あるいは、隙間を確保できない場合は、キートップ同士の接触面を加工したり所要の潤滑膜を形成したりして当該接触面の摩擦抵抗を少なくすることが望ましい。
【００１８】
また、キートップ１９ａ〜１９ｃ、２０ａ〜２０ｃ、２１ａ〜２１ｃに求められる機能の第二は、それらのキートップ１９ａ〜１９ｃ、２０ａ〜２０ｃ、２１ａ〜２１ｃの下に位置する表示デバイス２３〜２５のキー表示情報を透過させて外部から見えるようにすることにある。このためには、キートップ１９ａ〜１９ｃ、２０ａ〜２０ｃ、２１ａ〜２１ｃの材質に透過性のあるものを使用することが望ましい。加えて、キー情報の選択的可視性、すなわち、一つのキートップを透して一つのキー情報だけが見えるようにするためには、たとえば、各々のキートップ１９ａ〜１９ｃ、２０ａ〜２０ｃ、２１ａ〜２１ｃの上面だけに透過性を持たせたり、あるいは、各々のキートップ１９ａ〜１９ｃ、２０ａ〜２０ｃ、２１ａ〜２１ｃの全体に透過性を持たせ、且つ、キートップ１９ａ〜１９ｃ、２０ａ〜２０ｃ、２１ａ〜２１ｃの側面を遮光面（非透過面）としたりすることが望ましい。あるいは、各々のキートップ１９ａ〜１９ｃ、２０ａ〜２０ｃ、２１ａ〜２１ｃの上面に偏光面を形成し、斜めからの透過光を遮蔽するようにしてもよい。
【００１９】
以上のとおり、キートップ１９ａ〜１９ｃ、２０ａ〜２０ｃ、２１ａ〜２１ｃは、前記の二つの機能（第一及び第二の機能）を有していればよい。本実施形態では、特にそれに限定されないが、透過性のある硬質樹脂、たとえば、アクリルやポリカーボネイトなどを使用するものとし、且つ、各々のキートップ１９ａ〜１９ｃ、２０ａ〜２０ｃ、２１ａ〜２１ｃの側面に遮光膜を形成する等して、各々のキートップ１９ａ〜１９ｃ、２０ａ〜２０ｃ、２１ａ〜２１ｃの上面のみに透過性を持たせるものとする。
【００２０】
前記のとおり、キートップ部２２は上面が透明の素材で構成されているため、このキートップ部２２の空間１９ｄ、２０ｄ、２１ｄに遊挿された表示デバイス２３〜２５の表示情報を、キートップ部２２のキートップ１９ａ〜１９ｃ、２０ａ〜２０ｃ、２１ａ〜２１ｃを透して外部から見ることができる。ちなみに、キートップ部２２の“透明”とは、完全な透明（ほぼ１００％に近い透過率）のみを意味しない。半透明であってもよい。少なくとも、表示デバイス２３〜２５の表示情報が、キートップ部２２のキートップ１９ａ〜１９ｃ、２０ａ〜２０ｃ、２１ａ〜２１ｃを透して外部から見える程度の透明度であればよい。
【００２１】
図３は、キー入力装置７の部分断面（図２のＡ方向矢視断面）図である。なお、この断面図では、キートップ部２２の一部（キートップ１９ｃの関連部分）を取り出して示しているが、これは図示の都合であり、特段の意味はない。他のキートップ１９ａ、１９ｂ、２０ａ〜２０ｃ、２１ａ〜２１ｃの断面も、これとほぼ同様である。
【００２２】
この図に示されているように、筐体部１８の長穴１５から図面上方にキートップ１９ｃを露出したキートップ部２２の下面には、キーラバー２６が接しており、このキーラバー２６の下面に一体形成された突起２６ｃが、電子基板２７の上のスイッチ要素２７ｃに当接している。
【００２３】
ここで、特に限定されないが、スイッチ要素２７ｃ（及び他のスイッチ要素２７ａ、２７ｂ、２７ｄ〜２７ｉ）は、いわゆる「メタルドーム」と称されるタイプのもの、具体的には、導電性を有する弾性体（導電ゴム等）からなるドーム体２８の縁部を電子基板２７の第一接点２９に接着固定すると共に、電子基板２７の所定位置（ドーム体２８のほぼ頭頂部直下の位置）に第二接点３０を設けて構成されたものが用いられている。
【００２４】
このような構成において、キー入力装置７を操作していない場合、すなわち、キートップ１９ｃに対して図面の上から下方向への操作力Ｐを加えていない場合、キートップ部２２とキーラバー２６は、スイッチ要素２７ｃの弾性力（ドーム体２８の自己復帰力）を受けて図示の状態、つまり、筐体部１８の長穴１５からキートップ１９ｃを突き出した状態にある。この定常状態では、スイッチ要素２７ｃのドーム体２８が変形していないため、スイッチ要素２７ｃはオフになっている。
【００２５】
一方、キートップ１９ｃに対して操作力Ｐを加えた場合は、その操作力Ｐに応答して、キートップ部２２とキーラバー２６が図面の下方に移動し、キーラバー２６の突起２６ｃによって、スイッチ要素２７ｃのドーム体２８が変形して潰れる。そして、ついには、ドーム体２８の頭頂部と第二接点３０が接触し、第二接点３０→ドーム体２８→第一接点２９の電気経路が形成される結果、スイッチ要素２７ｃがオンになるが、操作力Ｐを取り除くと、ドーム体２８の復元力によって、キートップ部２２とキーラバー２６が図面の上方に移動してスイッチ要素２７ｃがオフとなり、キートップ１９ｃが定常状態に復帰する。
【００２６】
このように、本実施形態のキー入力装置７においては、キートップ１９ａ〜１９ｃ、２０ａ〜２０ｃ、２１ａ〜２１ｃへの操作力Ｐの有無に応じて、そのキートップ１９ａ〜１９ｃ、２０ａ〜２０ｃ、２１ａ〜２１ｃに対応して設けられているスイッチ要素２７ａ〜２７ｉをオン・オフすることができるほか、以下に説明するような格別の作用効果を得ることができる。
【００２７】
既述のとおり、本実施形態においては、表示デバイス２３〜２４が、キートップ部２２に設けられた空間１９ｄ、２０ｄ、２１ｄに“遊挿”されている。先にも述べたように、“遊挿”とは、若干の遊びを持って挿入された状態のことを意味するから、この表示デバイス２３〜２４は、操作力Ｐの影響を受けない。これは、操作力Ｐを加えることに伴ってキートップ１９ａ〜１９ｃ、２０ａ〜２０ｃ、２１ａ〜２１ｃが下方移動したり、あるいは、操作力Ｐの解除に伴ってキートップ１９ａ〜１９ｃ、２０ａ〜２０ｃ、２１ａ〜２１ｃが上方移動したりしても、上記の“遊挿”により、表示デバイス２３〜２４に動きが生じないからである。
【００２８】
したがって、本実施形態によれば、キートップ１９ａ〜１９ｃ、２０ａ〜２０ｃ、２１ａ〜２１ｃの上下移動に伴って表示デバイス２３〜２４に動きが生じないので、文字表示デバイス２３〜２４の変形を回避することができ、文字表示デバイス２３〜２４の耐久性向上を図ることができるという格別の効果を得ることができる。
【００２９】
加えて、より好ましくは、キートップ部２２に設けられた空間１９ｄ、２０ｄ、２１ｄの上下方向内寸（図中の矢印Ｂ参照）、言い換えれば、前記空間１９ｄ、２０ｄ、２１ｄの、前記キートップ１９ａ〜１９ｃ、２０ａ〜２０ｃ、２１ａ〜２１ｃの操作方向（操作力Ｐを加えた方向）の広さを、キートップ１９ａ〜１９ｃ、２０ａ〜２０ｃ、２１ａ〜２１ｃのキーストローク量（スイッチ要素２７ａ〜２７ｉのドーム体２８の最大変形量：図中の矢印Ｃ参照）と同等か、またはそれよりも大きくしておくことが望ましい。つまり、Ｂ＝Ｃ、またはＢ＞Ｃとしておくことが望ましい。キートップ１９ａ〜１９ｃ、２０ａ〜２０ｃ、２１ａ〜２１ｃに上下移動が生じても、空間１９ｄ、２０ｄ、２１ｄの天井や床面と表示デバイス２３〜２４との衝突を確実に回避することができ、より一層、文字表示デバイス２３〜２４の耐久性向上を図ることができるからである。
【００３０】
図４は、一つの表示デバイスとキー群の断面図であり、ここでは、代表として１列目のキー群１９を例にするが、他の列のキー群２０、２１についても同様である。
【００３１】
この図において、文字表示デバイス２３は、横長矩形状のフレキシブル基板３１の上に、電子ペーパやバックライト液晶あるいは有機液晶若しくはＥＬパネル等の平面表示部３２を実装すると共に、そのフレキシブル基板３１の一端を延長して、その延長部をフレキシブル線路３３とし、且つ、そのフレキシブル線路３３の先端に接続端子３４を形成して構成されている。平面表示部３２には、この文字表示デバイス２３に対応するキートップ１９ａ〜１９ｃと同数の表示領域３２ａ〜３２ｃが設けられており、接続端子３４を介して不図示の表示制御部から適宜に入力される表示信号に応答して、任意の文字や記号等のキー表示情報を表示できるようになっている。
【００３２】
ちなみに、図示においては、キートップ１９ａに対応する表示領域３２ａにアルファベットの“Ａ”が表示され、キートップ１９ｂに対応する表示領域３２ｂにアルファベットの“Ｂ”が表示され、キートップ１９ｃに対応する表示領域３２ｃにアルファベットの“Ｃ”が表示されているが、これは単なる一例に過ぎない。その時点において適切なキー表示情報（キートップ１９ａ〜１９ｃの情報）を所要の向きで表示すればよい。
【００３３】
先にも説明したとおり、重要な点は、表示デバイス２３が、キートップ部２２に設けられた空間１９ｄに“遊挿”されていることにある。遊挿することにより、キートップ部２２の上下動の影響を受けず、文字表示デバイス２３の耐久性向上を図ることができるからである。
【００３４】
なお、表示デバイス２３を空間１９ｄに“遊挿”するためには、この表示デバイス２３をキートップ部２２以外の非移動部材、典型的には筐体部１８に固定する必要がある。その固定方法としては、たとえば、図示のように、表示デバイス２３のフレキシブル基板３１に形成された位置合わせ穴３１ａに、筐体部１８の下面に形成されたピン１８ａを差し込むと共に、フレキシブル線路３３を屈曲させて、そのフレキシブル線路３３の先端の接続端子３４を電子基板２７の不図示の接点にハンダ付け固定してもよい。
【００３５】
図５も、一つの表示デバイスとキー群の断面図であり、ここでも、代表として１列目のキー群１９を例にしている。前記の断面図（図４）との相違は、文字表示デバイス２３の構造にある。すなわち、この図において、文字表示デバイス２３は、横長矩形状のリジット基板３５の上に、電子ペーパやバックライト液晶あるいは有機液晶若しくはＥＬパネル等の平面表示部３２を実装すると共に、そのリジット基板３５の一端にフレキシブル線路３３を接続し、且つ、そのフレキシブル線路３３の先端に接続端子３４を形成して構成されている。
【００３６】
表示デバイス２３と筐体部１８との固定方法は、たとえば、筐体部１８に形成された溝部１８ｂ、１８ｃにリジット基板３５の縁部を嵌め込むと共に、フレキシブル線路３３を屈曲させて、そのフレキシブル線路３３の先端の接続端子３４を電子基板２７の不図示の接点にハンダ付け固定してもよい。
【００３７】
なお、以上の実施形態では、キートップ部２２の空間１９ｄ、２０ｄ、２１ｄに表示デバイス２３〜２５を遊挿すると共に、そのキートップ部２２の下面に接してキーラバー２６を配置し、且つ、そのキーラバー２６の下面に一体形成した突起２６ａ〜２６ｉを、電子基板２７のスイッチ要素２７ａ〜２７ｉの各々に当接させて構成しているが、この態様に限定されず、たとえば、以下のように変形してもよい。
【００３８】
図６は、第１の変形例を示す図である。この図において、キートップ部３６は、透明な弾性素材からなる逆凹形状断面をなしており、逆凹形状の天板部分をキートップ３６ａとするとともに、逆凹形状内側の空間３６ｄに表示デバイス２３を遊挿し、加えて、そのキートップ３６ａに連続する両側壁の一方（図では左側壁３６ｂ）の先端を電子基板２７のスイッチ要素２７ａに当接させて構成し、且つ、他方（図では右側壁３６ｃ）の先端と電子基板２７との間にスプリング等の弾性部材３７を縮設して構成されている。
【００３９】
このような構成においても、キートップ３６ａに対して図面の上から下方向への操作力Ｐを加えていない場合、キートップ部３６は、弾性部材３７とスイッチ要素２７ａの弾性力を受けて図示の状態、つまり、筐体部１８の長穴１５からキートップ３６ａを突き出した状態にある。この定常状態では、スイッチ要素２７ａはオフになっている。
【００４０】
一方、キートップ３６ａに対して操作力Ｐを加えた場合は、その操作力Ｐに応答して、キートップ部３６が図面の下方に移動し、キートップ部３６の左側壁３６ｂの先端に押されて、スイッチ要素２７ａが変形して潰れる。そして、ついには、スイッチ要素２７ａがオンになるが、操作力Ｐを取り除くと、弾性部材３７とスイッチ要素２７ａの復元力によって、キートップ部３６が図面の上方に移動してスイッチ要素２７ａがオフとなり、キートップ３６ａが定常状態に復帰する。
【００４１】
このように、本第１の変形例においても、キートップ３６ａへの操作力Ｐの有無に応じて、そのキートップ３６ａに対応して設けられているスイッチ要素２７ａをオン・オフすることができるほか、キートップ３６ａの上下移動に伴って表示デバイス２３に動きが生じないので、文字表示デバイス２３の変形を回避することができ、文字表示デバイス２３の耐久性向上を図ることができるという格別の効果を得ることができる。
【００４２】
図７は、第２の変形例を示す図であり、この変形例は、前記図３の構成要素のうちのキーラバー２６を不要にしたものである。すなわち、図３のキーラバー２６の突起２６ｃと同様の突起２６ｃ´をキートップ部２２´の下面に一体形成することにより、キーラバー２６を不要にしたものである。このようにすれば、部品点数の削減を図ることができ、コストダウンに貢献する。
【００４３】
ただし、キートップ部２２´の設計自在性の点で、前記図３の構成、つまり、キートップ部２２とキーラバー２６とを別体とする構成の採用が望ましい。キートップ部２２には透過性と、ある程度の硬さ及び意匠的美観が求められるのに対して、キーラバー２６には、スイッチ要素２７ｃをオン・オフできる程度の硬さに加えて“柔軟性”も求められるからである。すなわち、キートップ部２２´の下面に突起２６ｃ´を一体形成した場合は、前記の三つの要求（透過性と硬さ及び意匠的美観）の他に“柔軟性”も求められることになるからであり、前記の三つの要求（透過性と硬さ及び意匠的美観）だけの場合に比べて、キートップ部２２´の素材選択に一定の制限が課せられることになるからである。
【００４４】
なお、以上の実施形態においては、携帯電話機への適用を例にして説明したが、本発明はこれに限定されない。多くのキーを備えたキー入力装置を有する電子機器一般に広く適用することができ、たとえば、カメラ、ＰＤＡ、ノートパソコン、ウェアラブルパソコン、電卓、電子辞書などの携帯型電子機器を含む電子機器すべてに用いることができる。
【図面の簡単な説明】
【００４５】
【図１】携帯電話機の外観図である。
【図２】キー入力装置７の要部の構造図である。
【図３】キー入力装置７の部分断面（図２のＡ方向矢視断面）図である。
【図４】一つの表示デバイスとキー群の断面図（表示デバイスがフレキシブル基板で構成されている場合）である。
【図５】一つの表示デバイスとキー群の断面図（表示デバイスがリジット基板で構成されている場合）である。
【図６】第１の変形例を示す図である。
【図７】第２の変形例を示す図である。
【符号の説明】
【００４６】
７  キー入力装置
１９ａ〜１９ｃ  キートップ
１９ｄ〜２１ｄ  空間
２０ａ〜２０ｃ  キートップ
２１ａ〜２１ｃ  キートップ
２２  キートップ部
２３〜２５  表示デバイス
２６  キーラバー
２６ａ〜２６ｉ  突起
２６ｃ´  突起
２７ａ〜２７ｉ  スイッチ要素
３６  キートップ部
３６ａ  キートップ
【図１】
2009218127.tif 000003
【図２】
2009218127.tif 000004
【図３】
2009218127.tif 000005
【図４】
2009218127.tif 000006
【図５】
2009218127.tif 000007
【図６】
2009218127.tif 000008
【図７】
2009218127.tif 000009